(57)【要約】【課題】殺菌作用を長期間維持することが可能なマスク用フィルムを提供する。【解決手段】マスク用フィルム４は、ポリエチレンテレフタラートで形成されるフィルム状の基材と、熱プレス加工されて基材の表面に定着する銀の薄膜とを備えている。このマスク用フィルム４では、ポリエチレンテレフタラートで形成されるフィルム状の基材の表面に銀の薄膜が熱プレス加工されて定着しているため、殺菌作用を有する銀の薄膜がフィルム状の基材の表面から剥がれにくくなっている。【選択図】図１
0003227184.tif 000002
【実用新案登録請求の範囲】
【請求項１】
ポリエチレンテレフタラートで形成されるフィルム状の基材と、熱プレス加工されて前記基材の表面に定着する銀の薄膜とを備えることを特徴とするマスク用フィルム。
【請求項２】
前記銀の薄膜は、前記基材の両面に定着していることを特徴とする請求項１記載のマスク用フィルム。
【請求項３】
前記銀の薄膜は、蒸着によって形成されていることを特徴とする請求項１または２記載のマスク用フィルム。
【請求項４】
複数の通気孔が形成されていることを特徴とする請求項１から３のいずれかに記載のマスク用フィルム。
【請求項５】
前記基材の一方の面が凸状となり、前記基材の他方の面が凹状となっていることを特徴とする請求項１から４のいずれかに記載のマスク用フィルム。
【請求項６】
請求項５記載のマスク用フィルムと、凸状となる前記基材の一方の面側に配置されるマスク本体とを備えることを特徴とするマスク。
【請求項７】
請求項１から５のいずれかに記載のマスク用フィルムを２枚備えるとともに、２枚の前記マスク用フィルムの間に配置される布製または紙製のシートを備えることを特徴とするマスク。
【考案の詳細な説明】
【技術分野】
【０００１】
本考案は、マスク用フィルムおよびこのマスク用フィルムを備えるマスクに関する。
【背景技術】
【０００２】
従来、市販のマスクに貼り付けられて使用されるマスク用の銀コーティング殺菌シートが知られている（たとえば、特許文献１参照）。特許文献１に記載の殺菌シートでは、殺菌作用を有する銀が不織布にコーティングされており、この殺菌シートには、殺菌作用がある。そのため、この殺菌シートをマスクに貼り付ければ、マスクに殺菌効果を持たせることができる。
【先行技術文献】
【特許文献】
【０００３】
【特許文献１】登録実用新案第３１３７２９６号公報
【考案の概要】
【考案が解決しようとする課題】
【０００４】
本願考案者の検討によると、不織布にコーティングされた銀は、不織布から剥がれやすく、たとえば、銀がコーティングされた不織布を数回洗濯すると、不織布から銀が剥がれ落ちてしまう。すなわち、本願考案者の検討によると、特許文献１に記載の殺菌シートでは、抗菌作用を長期間維持することが困難である。
【０００５】
そこで、本考案の課題は、殺菌作用を長期間維持することが可能なマスク用フィルムを提供することにある。また、本考案の課題は、かかるマスク用フィルムを備えるマスクを提供することにある。
【課題を解決するための手段】
【０００６】
上記の課題を解決するため、本考案のマスク用フィルムは、ポリエチレンテレフタラートで形成されるフィルム状の基材と、熱プレス加工されて基材の表面に定着する銀の薄膜とを備えることを特徴とする。
【０００７】
本考案のマスク用フィルムでは、ポリエチレンテレフタラートで形成されるフィルム状の基材の表面に銀の薄膜が熱プレス加工されて定着している。そのため、本考案では、殺菌作用を有する銀の薄膜がフィルム状の基材の表面から剥がれにくい。したがって、本考案では、マスク用フィルムの殺菌作用を長期間維持することが可能になる。また、本考案では、基材がポリエチレンテレフタラートで形成されているため、本願考案者の検討によると、銀の薄膜を基材の表面に容易かつ確実に定着させることが可能になる。
【０００８】
本考案において、銀の薄膜は、基材の両面に定着していることが好ましい。このように構成すると、基材の一方の面のみに銀の薄膜が定着している場合と比較して、マスク用フィルムの殺菌効果を高めることが可能になる。
【０００９】
本考案において、銀の薄膜は、たとえば、蒸着によって形成されている。また、本考案において、たとえば、マスク用フィルムには、複数の通気孔が形成されている。この場合には、ポリエチレンテレフタラートで基材が形成されていても、マスク用フィルムを使用する使用者は、呼吸をしやすくなる。
【００１０】
本考案において、基材の一方の面が凸状となり、基材の他方の面が凹状となっていることが好ましい。このように構成すると、マスク用フィルムの形状を使用者の顔の形状に沿った形状とすることが可能になる。したがって、マスク用フィルムのフィット感を高めることが可能になる。
【００１１】
本考案のマスク用フィルムは、凸状となる基材の一方の面側に配置されるマスク本体を備えるマスクに用いることができる。このマスクでは、凹状となる基材の他方の面がマスクを使用する使用者の顔側を向くため、使用者の鼻および口と、マスクとの間に隙間を形成することが可能になる。したがって、マスクを使用する使用者は、呼吸をしやすくなる。
【００１２】
本考案のマスク用フィルムは、２枚のマスク用フィルムを備えるとともに、２枚のマスク用フィルムの間に配置される布製または紙製のシートを備えるマスクに用いても良い。この場合には、マスク本体が不要になる。
【考案の効果】
【００１３】
以上のように、本考案では、マスク用フィルムの殺菌作用を長期間維持することが可能になる。
【図面の簡単な説明】
【００１４】
【図１】本考案の実施の形態にかかるマスクの分解斜視図である。
【図２】図１に示すマスク用フィルムの断面図である。
【考案を実施するための形態】
【００１５】
以下、図面を参照しながら、本考案の実施の形態を説明する。
【００１６】
（マスクの構成）
図１は、本考案の実施の形態にかかるマスク１の分解斜視図である。図２は、図１に示すマスク用フィルム４の断面図である。
【００１７】
本形態のマスク１は、マスク本体２と、マスク本体２に取り付けられる一対の耳掛け３と、マスク本体２に取り付けられるマスク用フィルム４とから構成されている。マスク本体２は、たとえば、複数枚の不織布によって構成されている。マスク本体２では、複数枚の不織布が重なっている。耳掛け３は、マスク１の使用者の耳に掛けられる。耳掛け３は、たとえば、不織布で形成されている。なお、マスク本体２は、ガーゼ等の織布によって構成されていても良い。また、耳掛け３は、ゴムまたは紐であっても良い。
【００１８】
マスク用フィルム４は、フィルム状の基材７と、フィルム状の基材７の表面を覆う銀の薄膜８（以下、「銀薄膜８」とする。）とを備えている。本形態のマスク用フィルム４は、基材７と銀薄膜８とから構成されている。また、本形態では、フィルム状の基材７の両面が銀薄膜８に覆われている。すなわち、本形態では、フィルム状の基材７の両面に銀薄膜８が形成されている。
【００１９】
基材７は、ポリエチレンテレフタラート（Ｐｏｌｙｅｔｈｙｌｅｎｅ  ｔｅｒｅｐｈｔｈａｌａｔｅ（ＰＥＴ））で形成されている。基材７の厚さは、０．２ｍｍ〜０．３ｍｍ程度となっている。基材７は、一定の剛性を有している。フィルム状の基材７の一方の面（図２の下面）は、凸状となっており、基材７の他方の面（図２の上面）は、凹状となっている。本形態の基材７は、基材７の一方の面が凸曲面状をなし、基材７の他方の面が凹曲面状をなす薄い曲板状に形成されている。具体的には、基材７は、使用者の顔の形状に沿う薄い曲板状に形成されている。
【００２０】
基材７は、平らなＰＥＴフィルムに熱を加えてＰＥＴフィルムを曲板状に変形させることで形成されている。基材７の外形は、マスク本体２の外形に応じた形状となっている。すなわち、マスク用フィルム４は、マスク状に形成されている。なお、基材７は、互いに繋がる複数の薄い平板によって構成されていても良い。この場合には、基材７の一方の面が凸状となり、基材７の他方の面が凹状となるように、複数の平板が繋がっている。また、この場合であっても、基材７は、平らなＰＥＴフィルムに熱を加えてＰＥＴフィルムを変形させることで形成されている。
【００２１】
銀薄膜８は、純銀からなる薄膜である。銀薄膜８は、強力な殺菌力を有する銀イオンを発生させる。銀薄膜８は、蒸着によって形成されている。本形態では、平らなＰＥＴフィルムを曲板状の基材７とする前に、平らなＰＥＴフィルムの表面に銀薄膜８を形成する。また、表面に銀薄膜８が形成された平らなＰＥＴフィルムに熱プレス加工を行う。表面に銀薄膜８が形成された平らなＰＥＴフィルムに熱プレス加工を行うと、銀薄膜８の一部がＰＥＴフィルムの表面に食い込んで、銀薄膜８の一部がＰＥＴフィルムの一部と結合する。
【００２２】
また、銀薄膜８の一部がＰＥＴフィルムの一部と結合するため、基材７となるＰＥＴフィルムの表面に銀薄膜８が定着する。すなわち、銀薄膜８は、熱プレス加工されて（熱プレス加工によって）基材７の表面に定着している。上述のように、銀薄膜８は、フィルム状の基材７の両面に形成されており、基材７の両面に定着している。平らなＰＥＴフィルムの表面に銀薄膜８を定着させた後には、上述のように、ＰＥＴフィルムに熱を加えてＰＥＴフィルムを曲板状に変形させる。
【００２３】
マスク用フィルム４には、複数の通気孔４ａが形成されている。通気孔４ａは、マスク用フィルム４の厚さ方向でマスク用フィルム４を貫通している。通気孔４ａの内径は、たとえば、２ｍｍ程度である。マスク用フィルム４は、マスク本体２に固定されている。マスク用フィルム４は、マスク本体２の内側に配置されている。すなわち、マスク１が使用者に着用された状態では、マスク用フィルム４は、マスク本体２よりも使用者側に配置される。凸状をなす基材７の一方の面は、マスク本体２側に配置されている。すなわち、マスク本体２は、凸状をなす基材７の一方の面側に配置されている。マスク１は、凹状となる基材７の他方の面が使用者側に配置されるように使用者に着用される。
【００２４】
（本形態の主な効果）
以上説明したように、本形態のマスク用フィルム４では、ＰＥＴ製の基材７の表面に銀薄膜８が熱プレス加工されて定着している。そのため、本形態では、殺菌作用を有する銀薄膜８が基材７の表面から剥がれにくい。したがって、本形態では、マスク用フィルム４の殺菌作用を長期間維持することが可能になる。また、本形態では、基材７がＰＥＴ製であるため、本願考案者の検討によると、銀薄膜８を基材７の表面に容易かつ確実に定着させることが可能になる。
【００２５】
本形態では、銀薄膜８は、基材７の両面に定着している。そのため、本形態では、基材７の一方の面のみに銀薄膜８が定着している場合と比較して、マスク用フィルム４の殺菌効果を高めることが可能になる。また、本形態では、マスク用フィルム４に複数の通気孔４ａが形成されているため、基材７がＰＥＴ製であっても、マスク１を使用する使用者は、呼吸をしやすくなる。
【００２６】
本形態では、基材７の一方の面が凸状となるとともに、基材７の他方の面が凹状となっており、基材７は、使用者の顔の形状に沿う薄い曲板状に形成されている。そのため、本形態では、マスク１のフィット感を高めることが可能になる。また、本形態では、ＰＥＴ製の基材７を有するマスク用フィルム４がマスク本体２に固定されているため、マスク１を洗濯したときのマスク１の型崩れを防止することが可能になる。
【００２７】
本形態では、マスク１は、凹状となる基材７の他方の面が使用者側に配置されるように使用者に着用されており、凹状となる基材７の他方の面が使用者の顔側を向く。そのため、本形態では、使用者の鼻および口とマスク１との間に隙間を形成することが可能になる。したがって、本形態では、マスク１を使用する使用者は、呼吸をしやすくなる。
【００２８】
（他の実施の形態）
上述した形態において、マスク用フィルム４がマスク本体２の外側に配置されていて、マスク１が使用者に着用された状態で、マスク本体２がマスク用フィルム４より使用者側に配置されても良い。また、上述した形態において、凸曲面状をなす基材７の一方の面、または、凹曲面状をなす基材７の他方の面のみに銀薄膜８が形成されていても良い。さらに、上述した形態において、銀薄膜８は、銀合金の薄膜であっても良い。また、上述した形態において、蒸着以外の方法によって銀薄膜８を形成しても良い。
【００２９】
上述した形態において、マスク１は、マスク本体２を備えていなくても良い。この場合には、たとえば、マスク１は、２枚のマスク用フィルム４と、２枚のマスク用フィルム４の間に配置される布製または紙製のシートとを備えている。また、この場合には、２枚のマスク用フィルム４が互いに固定されるとともに、マスク用フィルム４に耳掛けが取り付けられている。
【符号の説明】
【００３０】
１  マスク
２  マスク本体
４  マスク用フィルム
４ａ  通気孔
７  基材
８  銀薄膜（銀の薄膜）
【図１】
0003227184.tif 000003
【図２】
0003227184.tif 000004